(57)【特許請求の範囲】
【請求項１】
複数台の設備機器（３１，３３）に少なくとも１つの通信インターフェイス（４１ａ，４１ｂ，４１ｄ，４１ｅ，４１ｆ，４２ａ，４２ｂ，４２ｃ，４２ｄ，４２ｅ，４２ｆ，４５）を介して接続される設備機器の情報管理装置であって、
前記通信インターフェイスごとに設けられる表示オブジェクト（９０）を任意のページにおいて格子状に配列させて画面上に表示することが可能であると共に前記通信インターフェイスを介して受信される前記設備機器の運転状態情報を、前記通信インターフェイスに対応する前記表示オブジェクト上に表示する表示オブジェクト表示部と、
前記表示オブジェクトに関連付けされる情報（以下「表示オブジェクト関連情報」という）を前記画面上で並べることにより前記表示オブジェクトの表示順序を設定する表示順序設定部と、
任意の前記表示オブジェクト関連情報の前又は後に改行等命令情報、空白挿入命令情報および改ページ命令情報のうち少なくとも１つの命令情報を入力可能である命令情報入力部と、
前記命令情報入力部において前記改行等命令情報が入力されると前記改行等命令情報が挿入された箇所以降の前記表示オブジェクト関連情報に対応する表示オブジェクトを異なる行又は列に表示し、前記命令情報入力部において前記空白挿入命令情報が入力されると前記空白挿入命令情報が挿入された箇所以降の前記表示オブジェクト関連情報に対応する前記表示オブジェクトを表示オブジェクト１つ分に相当するスペースだけ繰り下げて表示し、前記命令情報入力部において前記改ページ命令情報が入力されると前記改ページ命令情報が挿入された箇所以降の前記表示オブジェクト関連情報に対応する表示オブジェクトを異なる前記ページに表示する表示オブジェクト表示位置決定部と
を備える設備機器の情報管理装置（１０，２０）。
【請求項２】
前記設備機器の情報管理装置は、少なくとも１台の前記設備機器に対して２以上の前記通信インターフェイスを介して接続される、
請求項１に記載の設備機器の情報管理装置。
【請求項３】
前記設備機器の情報管理装置は、グループ化された複数台の設備機器それぞれに対して前記通信インターフェイスを介して接続される、
請求項１または２に記載の設備機器の情報管理装置。
【請求項４】
複数台の第１設備機器（３３）に第１通信インターフェイス（４３）を介して接続されると共に、少なくとも１台の前記第１設備機器に対応する１または複数種類の第２設備機器（５０）に第２通信インターフェイス（４４）を介して接続される設備機器の情報管理装置であって、
前記通信インターフェイスごとに設けられる表示オブジェクト（９０）を任意のページにおいて格子状に配列させて画面上に表示することが可能である共に前記通信インターフェイスを介して受信される前記設備機器の運転状態情報を、前記通信インターフェイスに対応する前記表示オブジェクト上に表示する表示オブジェクト表示部と、
前記表示オブジェクトに関連付けされる情報（以下「表示オブジェクト関連情報」という）を前記画面上で並べることにより前記表示オブジェクトの表示順序を設定する表示順序設定部と、
任意の前記表示オブジェクト関連情報の前又は後に改行等命令情報、空白挿入命令情報および改ページ命令情報のうち少なくとも１つの命令情報を入力可能である命令情報入力部と、
前記命令情報入力部において前記改行等命令情報が入力されると前記改行等命令情報が挿入された箇所以降の前記表示オブジェクト関連情報に対応する表示オブジェクトを異なる行又は列に表示し、前記命令情報入力部において前記空白挿入命令情報が入力されると前記空白挿入命令情報が挿入された箇所以降の前記表示オブジェクト関連情報に対応する前記表示オブジェクトを表示オブジェクト１つ分に相当するスペースだけ繰り下げて表示し、前記命令情報入力部において前記改ページ命令情報が入力されると前記改ページ命令情報が挿入された箇所以降の前記表示オブジェクト関連情報に対応する表示オブジェクトを異なる前記ページに表示する表示オブジェクト表示位置決定部と
を備える設備機器の情報管理装置（１０，２０）。
【請求項５】
前記第１設備機器は、空気調和機または前記空気調和機の室内機であり、
前記第２設備機器は、空気調和機または前記空気調和機の室内機が設置される部屋のドアのロック装置（５０）、照明装置および換気扇の少なくとも１つを含む
請求項４に記載の設備機器の情報管理装置。
【請求項６】
複数台の設備機器（３１，３３）に少なくとも１つの通信インターフェイス（４１ａ，４１ｂ，４１ｄ，４１ｅ，４１ｆ，４２ａ，４２ｂ，４２ｃ，４２ｄ，４２ｅ，４２ｆ，４５）を介して接続される設備機器の情報管理装置において実行される設備機器の情報管理プログラムであって、
前記通信インターフェイスごとに設けられる表示オブジェクト（９０）を任意のページにおいて格子状に配列させて画面上に表示させると共に前記通信インターフェイスを介して受信される前記設備機器の運転状態情報を、前記通信インターフェイスに対応する前記表示オブジェクト上に表示させる表示オブジェクト表示ルーチンと、
前記表示オブジェクトに関連付けされる情報（以下「表示オブジェクト関連情報」という）を前記画面上で並べさせることにより前記表示オブジェクトの表示順序を設定させる表示順序設定ルーチンと、
任意の前記表示オブジェクト関連情報の前又は後に改行等命令情報、空白挿入命令情報および改ページ命令情報のうち少なくとも１つの命令情報を入力させる命令情報入力ルーチンと、
前記命令情報入力部において前記改行等命令情報が入力されると前記改行等命令情報が挿入された箇所以降の前記表示オブジェクト関連情報に対応する表示オブジェクトを異なる行又は列に表示させ、前記命令情報入力部において前記空白挿入命令情報が入力されると前記空白挿入命令情報が挿入された箇所以降の前記表示オブジェクト関連情報に対応する前記表示オブジェクトを表示オブジェクト１つ分に相当するスペースだけ繰り下げさせて表示させ、前記命令情報入力部において前記改ページ命令情報が入力されると前記改ページ命令情報が挿入された箇所以降の前記表示オブジェクト関連情報に対応する表示オブジェクトを異なる前記ページに表示させる表示オブジェクト表示位置決定ルーチンと
を備える設備機器の情報管理プログラム。
【請求項７】
複数台の第１設備機器（３３）に第１通信インターフェイス（４３）を介して接続されると共に、少なくとも１台の前記第１設備機器に対応する１または複数種類の第２設備機器（５０）に第２通信インターフェイス（４４）を介して接続される設備機器の情報管理装置において実行される設備機器の情報管理プログラムであって、
前記通信インターフェイスごとに設けられる表示オブジェクト（９０）を任意のページにおいて格子状に配列させて画面上に表示させると共に前記通信インターフェイスを介して受信される前記設備機器の運転状態情報を、前記通信インターフェイスに対応する前記表示オブジェクト上に表示させる表示ルーチンと、
前記表示オブジェクトに関連付けされる情報（以下「表示オブジェクト関連情報」という）を前記画面上で並べさせることにより前記表示オブジェクトの表示順序を設定させる表示順序設定ルーチンと、
任意の前記表示オブジェクト関連情報の前又は後に改行等命令情報、空白挿入命令情報および改ページ命令情報のうち少なくとも１つの命令情報を入力させる命令情報入力ルーチンと、
前記命令情報入力部において前記改行等命令情報が入力されると前記改行等命令情報が挿入された箇所以降の前記表示オブジェクト関連情報に対応する表示オブジェクトを異なる行又は列に表示させ、前記命令情報入力部において前記空白挿入命令情報が入力されると前記空白挿入命令情報が挿入された箇所以降の前記表示オブジェクト関連情報に対応する前記表示オブジェクトを表示オブジェクト１つ分に相当するスペースだけ繰り下げさせて表示させ、前記命令情報入力部において前記改ページ命令情報が入力されると前記改ページ命令情報が挿入された箇所以降の前記表示オブジェクト関連情報に対応する表示オブジェクトを異なる前記ページに表示させる表示オブジェクト表示位置決定ルーチンと
を備える設備機器の情報管理プログラム。
【発明の詳細な説明】
【０００１】
【発明の属する技術分野】
本発明は、監視画面の表示形態を簡便に最適化することができる設備機器の情報管理装置および情報管理プログラムに関する。
【０００２】
【従来の技術】
ビルなどにマルチ式空気調和機などが設置される場合、その室内機が正常に運転しているかを中央管理室などで全体監視することがある。図１には、そのような監視に必要なシステムの一例を示す。このシステムでは、加湿機３２を搭載している室内機３１が２種類のインターフェイス、第１インターフェイス４１ａ，４１ｂ，４１ｄ，４１ｅ，４１ｆおよび第２インターフェイス４２ａ，４２ｂ，４２ｃ，４２ｄ，４２ｅ，４２ｆを介してステーション２０に接続される。なお、ここで、第１インターフェイスは、加湿機３２に設けられる電磁弁の開閉情報を取得してステーションで読みとり可能な形式に変換する。一方、第２インターフェイスは、室内機３１にある温度センサーからその温度情報を取得し、またその室内機に対して設定されている設定温度を取得してステーションで読みとり可能な形式に変換する。なお、このシステムには、加湿機３２を搭載していない室内機３１ａが存在する。この室内機３１ａには、第２インターフェイス４２ｃのみが接続される。そして、このシステムでは、ステーション２０にコンピュータ１０が接続される。取得された運転情報をコンピュータ１０の画面上に表示させるためである。なお、その表示の態様は、キーボード１５などを用いて最適化される。また、ステーション２０が表示画面およびキーボードのような入力部を有していれば、ステーション２０をコンピュータ１０に接続する必要はない。
【０００３】
図２には、コンピュータ１０に表示される監視画面を示す。この監視画面では、先ず、第１インターフェイス４１ａ，４１ｂ，４１ｄ，４１ｅ，４１ｆに対応するオブジェクト９１ａ，９１ｂ，９１ｄ，９１ｅ，９１ｆが順列表示され，続いて第２インターフェイス４２ａ，４２ｂ，４２ｃ，４２ｄ，４２ｅ，４２ｆに対応するオブジェクト９２ａ，９２ｂ，９２ｃ，９２ｄ，９２ｅ，９２ｆが順列表示される。そして、これらのオブジェクト９０に、対応するインターフェイス４１ａ，４１ｂ，４１ｄ，４１ｅ，４１ｆ，４２ａ，４２ｂ，４２ｃ，４２ｄ，４２ｅ，４２ｆを介して取得される運転情報が表示される。なお、ここで、図番４１ａの第１インターフェイスは図番９１ａのオブジェクトに、図番４２ａの第２インターフェイスは図番９２ａのオブジェクトに、図番４１ｂの第１インターフェイスは図番９１ｂのオブジェクトに、図番４２ｂの第２インターフェイスは図番９２ｂのオブジェクトに、図番４２ｃの第２インターフェイスは図番９２ｃのオブジェクトに、図番４１ｄの第１インターフェイスは図番９１ｄのオブジェクトに、図番４２ｄの第２インターフェイスは図番９２ｄのオブジェクトに、図番４１ｅの第１インターフェイスは図番９１ｅのオブジェクトに、図番４２ｅの第２インターフェイスは図番９２ｅのオブジェクトに、図番４１ｆの第１インターフェイスは図番９１ｆのオブジェクトに、図番４２ｆの第２インターフェイスは図番９２ｆのオブジェクトに対応する。また、図番９１ａのオブジェクトと図番９２ａのオブジェクトとは、同じ室内機３１から取得される情報である。図番９１ｂのオブジェクトと図番９２ｂのオブジェクト、図番９１ｄのオブジェクトと図番９２ｄのオブジェクト、図番９１ｅのオブジェクトと図番９２ｅのオブジェクト、図番９１ｆのオブジェクトと図番９２ｆのオブジェクトの関係も同様である。そして、図番９２ｃのオブジェクトには、対応するオブジェクトが存在しない。
【０００４】
ところで、これらのオブジェクト９０が、図２に示されるように、順番に列挙されているだけであると、室内機３１から第１インターフェイス４１ａ，４１ｂ，４１ｄ，４１ｅ，４１ｆを介して取得した情報と同一の室内機３１から第２インターフェイス４２ａ，４２ｂ，４２ｃ，４２ｄ，４２ｅ，４２ｆを介して取得した情報との対応関係を把握しにくいという問題があった。そこで、従来は、この問題を改善するために、これらのオブジェクト９０の位置を自由に配置することのできるフリーレイアウト機能を設けていた。このフリーレイアウト機能を利用すれば、図３に示すように、オブジェクト９０を、その対応関係が把握しやすいように再配置することができ、非常に便利であった。
【０００５】
また、このようなフリーレイアウト機能は、システムが図４および図５に示される状況にある場合においても非常に有用であった。図４に示されるシステムでは、１つのリモコン３８で複数の室内機３３が制御される。ここでは、それぞれの室内機３３に１つのインターフェイス４５が設けられている。そして、１つのリモコン３８に対して複数の室内機３３がグループ化されている。このようなシステムにおいて室内機３３に関する情報を管理する場合、グループごとにオブジェクト９０をまとめておけば、いずれかの室内機３３に異常が発生したとき、どのグループの室内機３３に異常が発生したのかを即座に把握することができ、大変便利である。図５に示されるシステムでは、部屋６０ａ，６０ｂ，６０ｄに室内機３３とドアロック装置５０とが存在する。ここでは、室内機３３に第３インターフェイス４３が接続され、ドアロック装置５０に第４インターフェイス４４が接続される。しかし、部屋６０ｃには、ドアロック装置５０がない。このようなシステムにおいて室内機３３およびドアロック装置５０に関する情報を管理する場合、室内機３３の運転情報を示すオブジェクト９０とドアのロック状況の情報を示すオブジェクト９０とを対応するように配列しておけば、室内機３３の停止忘れなどを即座に発見することができる（ドアがロックされているにも関わらず室内機３３が運転していれば、それは室内機３３の停止忘れであることがわかる。）。
【０００６】
【発明が解決しようとする課題】
しかし、このフリーレイアウト機能では、オブジェクトを表示する座標を、キーボード１５などから入力して調整する必要がある。このため、表示位置の調整にかなりの手間がかかっていた。そこで、この手間を解消することができる有用な先行技術の調査を試みた。しかし、該当する先行技術を見つけることはできなかった。
【０００７】
本発明の課題は、図１、図４および図５に示すような状況にあるシステムに採用される図２に示すような監視画面においてオブジェクト９０の表示位置の調整を簡便に行うことができる設備機器の情報管理装置および情報管理プログラムを提供することにある。
【０００８】
【課題を解決するための手段】
請求項１に記載の設備機器の情報管理装置は、複数台の設備機器に少なくとも１つの通信インターフェイスを介して接続される設備機器の情報管理装置である。なお、ここにいう「設備機器」とは、空気調和機、空気調和機の室内機、空気調和機の室外機、除湿器、加湿器、空気清浄機、または工場における生産設備などである。また、通信インターフェイスが１台の設備機器に対して複数接続される場合、その通信インターフェイスが取得する情報の種類は異なる場合がある。そして、この設備機器の情報管理装置は、表示オブジェクト表示部と表示順序設定部と命令情報入力部と表示オブジェクト表示位置決定部とを備える。表示オブジェクト表示部は、通信インターフェイスごとに設けられる表示オブジェクトを任意のページにおいて格子状に配列させて画面上に表示することが可能である。そして、この表示オブジェクト表示部は、通信インターフェイスを介して受信される設備機器の運転状態情報を、通信インターフェイスに対応する表示オブジェクト上に表示する。表示順序設定部では、表示オブジェクトに関連付けされる情報（以下「表示オブジェクト関連情報」という）が画面上で並べられることにより表示オブジェクトの表示順序が設定される。命令情報入力部では、任意の表示オブジェクト関連情報の前又は後に改行等命令情報、空白挿入命令情報および改ページ命令情報のうち少なくとも１つの命令情報が入力可能である。なお、ここにいう「命令情報入力部」はキーボードであってもよいし、ＧＵＩなどに採用されるオブジェクトであってもよい。表示オブジェクト表示位置決定部は、命令情報入力部において改行等命令情報が入力されると改行等命令情報が挿入された箇所以降の表示オブジェクト関連情報に対応する表示オブジェクトを異なる行又は列に表示する。また、この表示オブジェクト表示位置決定部は、命令情報入力部において空白挿入命令情報が入力されると空白挿入命令情報が挿入された箇所以降の表示オブジェクト関連情報に対応する表示オブジェクトを表示オブジェクト１つ分に相当するスペースだけ繰り下げて表示する。また、この表示オブジェクト表示位置決定部は、命令情報入力部において改ページ命令情報が入力されると改ページ命令情報が挿入された箇所以降の表示オブジェクト関連情報に対応する表示オブジェクトを異なるページに表示する。
【０００９】
このため、図２に示すような監視画面において、オブジェクト９０の表示位置を、座標を指定して調節するよりも簡便な操作によって調節することができる。なお、このような機能はＭＳ−ＷＯＲＤ（マイクロソフト社）などを搭載したコンピュータにも見受けられるが、そのようなコンピュータの場合は文字情報が対象となる。一方、本発明に係る装置の場合はデータの固まり（１つのオブジェクトには、複数の情報が包含されている。）が対象となる。このように、対象がデータの固まりとなると、文字情報を処理するのと同様には処理できないことに留意されたい。
【００１０】
請求項２に記載の設備機器の情報管理装置は、請求項１に記載の設備機器の情報管理装置であって、設備機器の情報管理装置は、少なくとも１台の設備機器に対して２以上の通信インターフェイスを介して接続される。
【００１１】
ここでは、システムが図１に示すような状況にあり、２つの異なる通信インターフェイスから取得される情報を示す２つの異なるオブジェクト９０を対応するように配列したい場合、図２に示すような監視画面において、オブジェクト９０の表示位置を、座標を指定して調節するよりも簡便な操作によって調節することができる。
【００１２】
請求項３に記載の設備機器の情報管理装置は、請求項１または２に記載の設備機器の情報管理装置であって、設備機器の情報管理装置は、グループ化された複数台の設備機器それぞれに対して通信インターフェイスを介して接続される。
【００１３】
ここでは、システムが図４に示すような状況にあり、グループごとにオブジェクト９０をまとめておきたい場合、図２に示すような監視画面において、オブジェクト９０の表示位置を、座標を指定して調節するよりも簡便な操作によって調節することができる。
【００１４】
請求項４に記載の設備機器の情報管理装置は、複数台の第１設備機器に第１通信インターフェイスを介して接続されると共に、少なくとも１台の第１設備機器に対応する１または複数種類の第２設備機器に第２通信インターフェイスを介して接続される設備機器の情報管理装置である。なお、ここにいう「第１設備機器」とは、空気調和機、空気調和機の室内機、空気調和機の室外機、除湿機、加湿機、空気清浄機、または工場における生産設備などである。また、ここにいう「第２設備機器」とは、第１設備機器が空気調和機、空気調和機の室内機、除湿機、加湿機、または空気清浄機などである場合は、それらの機器が設置される部屋のドアのロック装置、照明装置または換気扇などである。また、第１設備機器が工場における生産設備などである場合は、同じ生産ラインに存在する複数種類の生産機器などである（生産ラインが複数ある場合を想定。）。なお、この第１通信インターフェイスおよび第２通信インターフェイスは、それぞれの第１設備機器および第２設備機器に対して１つ接続されていても複数接続されていてもよい。そして、この設備機器の情報管理装置は、表示オブジェクト表示部と表示順序設定部と命令情報入力部と表示オブジェクト表示位置決定部とを備える。表示オブジェクト表示部は、通信インターフェイスごとに設けられる表示オブジェクトを任意のページにおいて格子状に配列させて画面上に表示することが可能である。そして、この表示オブジェクト表示部は、通信インターフェイスを介して受信される設備機器の運転状態情報を、通信インターフェイスに対応する表示オブジェクト上に表示する。表示順序設定部では、表示オブジェクトに関連付けされる情報（以下「表示オブジェクト関連情報」という）が画面上で並べられることにより表示オブジェクトの表示順序が設定される。命令情報入力部では、任意の表示オブジェクト関連情報の前又は後に改行等命令情報、空白挿入命令情報および改ページ情報のうち少なくとも１つの命令情報が入力可能である。なお、ここにいう「命令情報入力部」はキーボードであってもよいし、ＧＵＩなどに採用されるオブジェクトであってもよい。表示オブジェクト表示位置決定部は、命令情報入力部において改行等命令情報が入力されると改行等命令情報が挿入された箇所以降の表示オブジェクト関連情報に対応する表示オブジェクトを異なる行又は列に表示する。また、この表示オブジェクト表示位置決定部は、命令情報入力部において空白挿入命令情報が入力されると空白挿入命令情報が挿入された箇所以降の表示オブジェクト関連情報に対応する表示オブジェクトを表示オブジェクト１つ分に相当するスペースだけ繰り下げて表示する。また、この表示オブジェクト表示位置決定部は、命令情報入力部において改ページ命令情報が入力されると改ページ命令情報が挿入された箇所以降の表示オブジェクト関連情報に対応する表示オブジェクトを異なるページに表示する。
【００１５】
このため、システムが図５に示すような状況にあり、室内機３３の運転情報を示すオブジェクト９０とドアのロック状況の情報を示すオブジェクト９０とを対応するように配列したい場合、図２に示すような監視画面において、オブジェクト９０の表示位置を、座標を指定して調節するよりも簡便な操作によって調節することができる。
【００１６】
請求項５に記載の設備機器の情報管理装置は、請求項４に記載の設備機器の情報管理装置であって、第１設備機器は、空気調和機または空気調和機の室内機である。また、第２設備機器は、空気調和機または空気調和機の室内機が設置される部屋のドアのロック装置、照明装置および換気扇の少なくとも１つを含む。
【００１７】
ここでは、空気調和機または室内機の運転情報を示すオブジェクトとドアのロック状況、または照明装置の点灯状況の情報を示すオブジェクトとを対応するように配列しておけば、空気調和機あるいは室内機の停止忘れなどを即座に発見することができる（ドアがロックされているにも関わらず空気調和機または室内機が運転していれば、それは空気調和機または室内機の停止忘れであることがわかる。また、照明装置が消灯しているにも関わらず空気調和機または室内機が運転していれば、それは空気調和機または室内機の停止忘れであることがわかる。）。また、空気調和機または室内機の運転情報を示すオブジェクトと換気扇の運転状況の情報を示すオブジェクトとを対応するように配列しておけば、室内機または空気調和機と換気扇とが同時に運転していて室内機または空気調和機が非効率に運転していないかを簡便に確認することができる。
【００１８】
請求項６に記載の設備機器の情報管理プログラムは、複数台の設備機器に少なくとも１つの通信インターフェイスを介して接続される設備機器の情報管理装置において実行される設備機器の情報管理プログラムである。なお、ここにいう「設備機器」とは、空気調和機、空気調和機の室内機、空気調和機の室外機、除湿器、加湿器、空気清浄機、または工場における生産設備などである。また、通信インターフェイスが１台の設備機器に対して複数接続される場合、その通信インターフェイスが取得する情報の種類は異なる場合がある。そして、この設備機器の情報管理プログラムは、表示オブジェクト表示ルーチンと表示順序設定ルーチンと命令情報入力ルーチンと表示オブジェクト表示位置決定ルーチンとを備える。表示オブジェクト表示ルーチンでは、コンピュータが、通信インターフェイスごとに設けられる表示オブジェクトを任意のページにおいて格子状に配列させて画面上に表示させる。そして、この表示オブジェクト表示ルーチンでは、コンピュータが、通信インターフェイスを介して受信される設備機器の運転状態情報を、通信インターフェイスに対応する表示オブジェクト上に表示させる。表示順序設定ルーチンでは、ユーザが表示オブジェクトに関連付けされる情報（以下「表示オブジェクト関連情報」という）を画面上で並べることにより表示オブジェクトの表示順序が設定される。命令情報入力ルーチンでは、ユーザが任意の前記表示オブジェクト関連情報の前又は後に改行等命令情報、空白挿入命令情報および改ページ命令情報のうち少なくとも１つの命令情報を入力する。表示オブジェクト表示位置決定ルーチンでは、命令情報入力部において改行等命令情報が入力されると、コンピュータが、改行等命令情報が挿入された箇所以降の表示オブジェクト関連情報に対応する表示オブジェクトを異なる行又は列に表示させる。また、この表示オブジェクト表示位置決定ルーチンでは、命令情報入力部において空白挿入命令情報が入力されると、コンピュータが、空白挿入命令情報が挿入された箇所以降の表示オブジェクト関連情報に対応する表示オブジェクトを表示オブジェクト１つ分に相当するスペースだけ繰り下げて表示する。また、この表示オブジェクト表示位置決定ルーチンでは、命令情報入力部において改ページ命令情報が入力されると、コンピュータが、改ページ命令情報が挿入された箇所以降の表示オブジェクト関連情報に対応する表示オブジェクトを異なるページに表示する。
【００１９】
このため、図２のような監視画面において、オブジェクト９０の表示位置を、座標を指定して調節するよりも簡便な操作によって調節することができる。
【００２０】
請求項７に記載の設備機器の情報管理プログラムは、複数台の第１設備機器に第１通信インターフェイスを介して接続されると共に、少なくとも１台の第１設備機器に対応する１または複数種類の第２設備機器に第２通信インターフェイスを介して接続される設備機器の情報管理装置において実行される設備機器の情報管理プログラムである。なお、ここにいう「第１設備機器」とは、空気調和機、空気調和機の室内機、空気調和機の室外機、除湿機、加湿機、空気清浄機、または工場における生産設備などである。また、ここにいう「第２設備機器」とは、第１設備機器が空気調和機、空気調和機の室内機、除湿機、加湿機、または空気清浄機などである場合は、それらの機器が設置される部屋のドアのロック装置、照明装置または換気扇などである。また、第１設備機器が工場における生産設備などである場合は、同じ生産ラインに存在する複数種類の生産機器などである（生産ラインが複数ある場合を想定。）。なお、この第１通信インターフェイスおよび第２通信インターフェイスは、それぞれの第１設備機器および第２設備機器に対して１つ接続されていても複数接続されていてもよい。そして、この設備機器の情報管理プログラムは、表示オブジェクト表示ルーチンと表示順序設定ルーチンと命令情報入力ルーチンと表示オブジェクト表示位置決定ルーチンとを備える。表示オブジェクト表示ルーチンでは、コンピュータが、通信インターフェイスごとに設けられる表示オブジェクトを任意のページにおいて格子状に配列させて画面上に表示させる。そして、この表示オブジェクト表示ルーチンでは、コンピュータが、通信インターフェイスを介して受信される設備機器の運転状態情報を、通信インターフェイスに対応する表示オブジェクト上に表示させる。表示順序設定ルーチンでは、ユーザが表示オブジェクトに関連付けされる情報（以下「表示オブジェクト関連情報」という）を画面上で並べることにより表示オブジェクトの表示順序が設定される。命令情報入力ルーチンでは、ユーザが任意の前記表示オブジェクト関連情報の前又は後に改行等命令情報、空白挿入命令情報および改ページ命令情報のうち少なくとも１つの命令情報を入力する。表示オブジェクト表示位置決定ルーチンでは、命令情報入力部において改行等命令情報が入力されると、コンピュータが、改行等命令情報が挿入された箇所以降の表示オブジェクト関連情報に対応する表示オブジェクトを異なる行又は列に表示させる。また、この表示オブジェクト表示位置決定ルーチンでは、命令情報入力部において空白挿入命令情報が入力されると、コンピュータが、空白挿入命令情報が挿入された箇所以降の表示オブジェクト関連情報に対応する表示オブジェクトを表示オブジェクト１つ分に相当するスペースだけ繰り下げて表示する。また、この表示オブジェクト表示位置決定ルーチンでは、命令情報入力部において改ページ命令情報が入力されると、コンピュータが、改ページ命令情報が挿入された箇所以降の表示オブジェクト関連情報に対応する表示オブジェクトを異なるページに表示する。
【００２１】
このため、システムが図５に示すような状況にあり、室内機３３の運転情報を示すオブジェクト９０とドアのロック状況の情報を示すオブジェクト９０とを対応するように配列したい場合、図２に示すような監視画面において、オブジェクト９０の表示位置を、座標を指定して調節するよりも簡便な操作によって調節することができる。
【００２２】
【発明の実施の形態】
本発明の実施の形態では、監視画面の表示形態を簡便に最適化することができる空気調和機の情報管理装置について説明する。なお、この空気調和機の情報管理装置は、従来技術において説明したように、システムが図１、図４および図５のような状況にあるときに非常に有効に活用することができる。なお、この実施の形態で説明されるシステムに接続されるコンピュータ１０には、キーボード１５に加えて、またはキーボード１５に代えてマウスが接続される。
【００２３】
［情報編集ダイアログ］
図６には、各情報の編集を行うことができる情報編集ダイアログ１１０を示した。このダイアログ１１０の中央部には、オブジェクト配列設定部１００が設けられる。この配列設定部１００の下方には、空白挿入命令、改列命令および改頁命令をオブジェクト９０間に挿入するためのボタン１０２，１０４，１０６が設けられている。これらのボタン１０２，１０４，１０６のいずれかを選択してマウスでクリックすることにより任意の位置に空白挿入命令、改列命令および改頁命令を挿入することができる。
【００２４】
［画面サイズの変更］
図７には、画面サイズを変更した場合の態様を示す。本実施の形態に係る空気調和機の情報管理装置１０，２０では、このように画面サイズを変更した場合であっても、自動的に表示位置の相対関係が維持される。
【００２５】
［本実施の形態に係る空気調和機の情報管理装置１０，２０の特徴］
（１）
本実施の形態に係る空気調和機の情報管理装置では、情報編集ダイアログ１１０が表示される。そして、オブジェクト配列設定部１００に設けられる空白挿入命令ボタン１０２、改列命令ボタン１０４および改頁命令ボタン１０６をマウスでクリックすることにより任意の位置に空白挿入命令、改列命令および改頁命令のいずれかを挿入することができる。このため、オブジェクト９０の表示位置の調整を簡便に行うことができる。
【００２６】
（２）本実施の形態に係る空気調和機の情報管理装置２０では、画面サイズを変更した場合であっても、自動的に表示位置の相対関係が維持される（フリーレイアウト機能では、座標の再調整を行う必要があった。）。
＜本実施の形態の変形例＞
本実施の形態では、情報編集ダイアログ１１０にオブジェクト配列設定部１００を設け、その配列設定部１００に空白挿入命令、改列命令および改頁命令ボタンを設けたが、これに代えて、キーボード１５から直接、空白挿入、改列および改頁を行うことができるようにしてもよい。
【００２７】
【発明の効果】
請求項１に係る設備機器の情報管理装置では、図２に示すような監視画面において、オブジェクト９０の表示位置を、座標を指定して調節するよりも簡便な操作によって調節することができる。
【００２８】
請求項２に係る設備機器の情報管理装置では、システムが図１に示すような状況にあり、２つの異なるインターフェイスから取得される情報を示す２つの異なるオブジェクト９０を対応するように配列したい場合、図２に示すような監視画面において、オブジェクト９０の表示位置を、座標を指定して調節するよりも簡便な操作によって調節することができる。
【００２９】
請求項３に係る設備機器の情報管理装置では、システムが図４に示すような状況にあり、グループごとにオブジェクト９０をまとめておきたい場合、図２に示すような監視画面において、オブジェクト９０の表示位置を、座標を指定して調節するよりも簡便な操作によって調節することができる。
【００３０】
請求項４に係る設備機器の情報管理装置では、システムが図５に示すような状況にあり、室内機３３の運転情報を示すオブジェクト９０とドアのロック状況の情報を示すオブジェクト９０とを対応するように配列したい場合、図２に示すような監視画面において、オブジェクト９０の表示位置を、座標を指定して調節するよりも簡便な操作によって調節することができる。
【００３１】
請求項５に係る設備機器の情報管理装置では、空気調和機または室内機の運転情報を示すオブジェクトとドアのロック状況、または照明装置の点灯状況の情報を示すオブジェクトとを対応するように配列しておけば、空気調和機あるいは室内機の停止忘れなどを即座に発見することができる（ドアがロックされているにも関わらず空気調和機または室内機が運転していれば、それは空気調和機または室内機の停止忘れであることがわかる。また、照明装置が点灯しているにも関わらず空気調和機または室内機が運転していれば、それは空気調和機または室内機の停止忘れであることがわかる。）。また、空気調和機または室内機の運転情報を示すオブジェクトと換気扇の運転状況の情報を示すオブジェクトとを対応するように配列しておけば、室内機または空気調和機と換気扇とが同時に運転していて室内機または空気調和機が非効率に運転していないかを簡便に確認することができる。
【００３２】
請求項６に係る設備機器の情報管理プログラムでは、図２に示すような監視画面において、オブジェクト９０の表示位置を、座標を指定して調節するよりも簡便な操作によって調節することができる。
【００３３】
請求項７に係る設備機器の情報管理プログラムでは、システムが図５に示すような状況にあり、室内機３３の運転情報を示すオブジェクト９０とドアのロック状況の情報を示すオブジェクト９０とを対応するように配列したい場合、図２に示すような監視画面において、オブジェクト９０の表示位置を、座標を指定して調節するよりも簡便な操作によって調節することができる。
【図面の簡単な説明】
【図１】従来の空気調和機の情報管理装置および本発明に係る空気調和機の情報管理装置１０，２０が採用されるシステム状況の一例を示す図。
【図２】コンピュータ１０のモニタに表示される画面を構成するオブジェクト９０、および再配列を行う前の初期画面を表す図。
【図３】再配列を行った後の画面を表す図。
【図４】従来の空気調和機の情報管理装置および本発明に係る空気調和機の情報管理装置１０，２０が採用されるシステム状況の一例を示す図。
【図５】従来の空気調和機の情報管理装置および本発明に係る空気調和機の情報管理装置１０，２０が採用されるシステム状況の一例を示す図。
【図６】情報編集ダイアログを表す図。
【図７】画面サイズを変更した場合の態様を表す図。
【符号の説明】
１０          コンピュータ
１５          キーボード
２０          ステーション
３１          加湿機を搭載している室内機
３１ａ        加湿機を搭載していない室内機
３２          加湿機
３３          室内機
３８          リモコン
４１ａ，４１ｂ，４１ｄ，４１ｅ，４１ｆ            第１インターフェイス
４２ａ，４２ｂ，４２ｃ，４２ｄ，４２ｅ，４２ｆ    第２インターフェイス
４３          第３インターフェイス
４４          第４インターフェイス
４５          インターフェイス
５０          ドアロック装置
９０，９１ａ，９１ｂ，９１ｄ，９１ｅ，９１ｆ，９２ａ，９２ｂ，９２ｃ，  ９２ｄ，９２ｅ，９２ｆ      オブジェクト
１００          オブジェクト配列設定部
１０２          空白挿入命令ボタン
１０４          改列命令ボタン
１０６          改頁命令ボタン
１１０          情報編集ダイアログ
【図１】
0004144382.tif 000002
【図２】
0004144382.tif 000003
【図３】
0004144382.tif 000004
【図４】
0004144382.tif 000005
【図５】
0004144382.tif 000006
【図６】
0004144382.tif 000007
【図７】
0004144382.tif 000008